(57)【要約】【課題】印刷部分が透明樹脂で覆われ、透明樹脂部分のレンズ効果によって大きく浮きでたように見えるとともに、製造が容易で、つねに見栄えのよい装飾玉を提供することを目的としている。【解決手段】球状体からなる芯材本体と、この芯材本体の周囲を囲繞するちりめん加工された化粧シートとを有する芯材の表面が、射出成形により形成された透明熱可塑性樹脂からなる透明保護層によって視認可能に保護されていることを特徴としている。【選択図】      図１
2007202629.tif 000002
【特許請求の範囲】
【請求項１】
球状体からなる芯材本体と、この芯材本体の周囲を囲繞する化粧シートとを有する芯材の表面が、射出成形により形成された透明熱可塑性樹脂からなる透明保護層によって視認可能に保護されていることを特徴とする装飾玉。
【請求項２】
化粧シートがちりめん加工されている請求項１に記載の装飾玉。
【請求項３】
透明保護層がアクリル樹脂で形成されている請求項１または請求項２に記載の装飾玉。
【発明の詳細な説明】
【技術分野】
【０００１】
本発明は、たとえば、数珠やネックレスなどに利用される樹脂成形された装飾玉に関する。
【背景技術】
【０００２】
たとえば、数珠やネックレスなどに使用される装飾玉の製造方法として、円筒状の基礎材の端面を凸球面状とし、この凸球部分に文字または絵等を印刷し、印刷部分にアクリル樹脂等の透明樹脂を重合したものを球状に研削、研磨する方法が既に提案されている（たとえば、特許文献１参照）。
すなわち、この製造方法によると、印刷が透明樹脂によって被覆されているので、印刷が磨耗によって消失したりせず、また、透明樹脂部分も球面になっているので、透明樹脂部分がレンズの働きをして印刷が大きく浮きでたように見えるという効果がある。
【０００３】
【特許文献１】特開平８−３２２６１６号公報
【発明の開示】
【発明が解決しようとする課題】
【０００４】
しかしながら、上記の製造方法では、透明樹脂を印刷部分に重合したのち、所定形状に研削してほぼ球体にするとともに、この研削球体をさらに研磨して透明性を確保するようになっているので、製造工程が煩雑であるとともに、研削や研磨が悪いと、印刷部分がうまく浮きでたように見えない。
【０００５】
本発明は、上記事情に鑑みて、製造が容易で、つねに見栄えのよい装飾玉を提供することを目的としている。
【課題を解決するための手段】
【０００６】
上記目的を達成するために、本発明の請求項１に記載の装飾玉（以下、「請求項１の装飾玉」と記す）は、球状体からなる芯材本体と、この芯材本体の周囲を囲繞する化粧シートとを有する芯材の表面が、射出成形により形成された透明熱可塑性樹脂からなる透明保護層によって視認可能に保護されていることを特徴としている。
【０００７】
本発明の請求項２に記載の装飾玉（以下、「請求項２の装飾玉」と記す）は、請求項１の装飾玉において、化粧シートがちりめん加工されていることを特徴としている。
【０００８】
本発明の請求項３に記載の装飾玉（以下、「請求項３の装飾玉」と記す）は、透明保護層がアクリル樹脂で形成されていることを特徴としている。
【０００９】
本発明において、化粧シートの材質は、織布、樹脂シート、紙等特に限定されないが、請求項２の装飾玉のようにちりめん織布やちりめん加工紙等のちりめん加工されたものを用いることが好ましい。
【００１０】
本発明において、透明樹脂層を形成する樹脂としては、射出成形可能で、芯材を外側から視認可能にするものであれば特に限定されないが、請求項３の装飾玉のように、アクリル樹脂が好適である。
【００１１】
本発明において、得られた装飾玉は、透明保護層表面にパーティングライン等の凸部が存在する場合、必要に応じてバレル研磨などによって凸部を除去しても構わない。
【００１２】
本発明の装飾玉の形状は、特に限定されないが、たとえば、球型、楕円球型（棗型）などの対称形状のものや、バロック型（歪んだ真珠型）などの一部の凸部を備えた異型もの等が挙げられる。
化粧シートは、芯材本体に接着剤により、固着されるが、接着剤としては、芯材本体と、透明保護層が形成されるまでの間、化粧シートとがうまく接着されれば、その種類はが特に限定されないが、たとえば、コニシ株式会社製のボンド木工用等市販のものが使用できる。
【発明の効果】
【００１３】
以上のように、本発明にかかる装飾玉は、球状体からなる芯材本体と、この芯材本体の周囲を囲繞する化粧シートとを有する芯材の表面が、射出成形により形成された透明熱可塑性樹脂からなる透明保護層によって視認可能に保護されているので、製造が容易で、つねに見栄えのよいものとなる。
【００１４】
特に、請求項２の装飾玉のように、化粧シートとしてちりめん加工されたものを用いるようにすれば、化粧シートが芯材本体の球面に沿って容易に見栄えよく貼り付けることができ、より容易に装飾玉を製造できるようになる。
【発明を実施するための最良の形態】
【００１５】
以下に、本発明を、その実施の形態をあらわす図面を参照しつつ詳しく説明する。
図１および図２は本発明にかかる装飾玉の１つの実施の形態をあらわしている。
【００１６】
図１および図２に示すように、この装飾玉１は、芯材２と、透明保護層９とを備えている。
【００１７】
芯材２は、図３に示すように、アクリル樹脂、塩化ビニル樹脂等の合成樹脂からなり、中心軸を通る貫通孔３１を有する球状をした芯材本体３と、化粧シートとしてのちりめん織布５とから形成され、以下のようにして得られる。
すなわち、まず、図３（ａ）に示すように、ちりめん織布５の裏面側に接着剤を塗布したのち、図３（ｂ）に示すように、貫通孔３１に貫通孔３１とほぼ同径をした線材６を挿通した状態の芯材本体３をちりめん織布５でくるむ。
【００１８】
つぎに、図３（ｃ）に示すように、貫通孔３１の両端部でちりめん織布５をねじったのち、図３（ｄ）に示すように、接着剤が完全に硬化する前に線材６を引き抜き、図３（ｅ）に示すように、はさみ４で貫通孔３１の両端に沿ってちりめん織布５を切り取るとともに、ちりめん織布５のちりめんじわが伸びるように手で補正し、接着剤を完全に硬化させる。
【００１９】
そして、上記装飾玉１は、図４に示すように、上記のようにして得た芯材２と、射出成形金型７と、２つのアクリル樹脂等の透明樹脂製の芯材位置決めリング８とを用いて以下のようにして射出成形される。
【００２０】
すなわち、射出成形金型７は、固定型７１と、可動型７２とを備え、固定型７１に上記芯材２の貫通孔３１とほぼ同径か少し小径の位置決めピン７３が設けられていて、可動型７２と、固定型７１とを閉合することによって、中心を位置決めピン７３が貫通した形状のほぼ球形をした中空部７４が形成されるようになっている。また、芯材位置決めリング８は、位置決めピン７３とほぼ同径の位置決めピン挿通孔８１が中央に穿設されるとともに、芯材２の直径と２つの芯材位置決めリング８の厚みを足すと、中空部７４の直径と一致する厚みに形成されている。さらに、芯材位置決めリング８のリング周面は、テーパ状や階段状に形成されていても構わない。
【００２１】
そして、まず、一方の芯材位置決めリング８の位置決めピン挿通孔８１に固定型７１の位置決めピン７３を挿通して一方の芯材位置決めリング８を固定型７１にセットしたのち、芯材２の貫通孔３１に位置決めピン７３を挿通して芯材２を固定型７１にセットする。
【００２２】
続いて、他方の芯材位置決めリング８の位置決めピン挿通孔８１に固定型７１の位置決めピン７３を挿通して他方の芯材位置決めリング８を固定型７１にセットしたのち、可動型７２と固定型７１とを閉合し、射出成形金型７と、芯材２および２つの芯材位置決めリング８との間に形成されるキャビティ７５に芯材位置決めリング８と相溶性のあるアクリル樹脂等の透明樹脂を射出充填し、射出充填された透明樹脂と、２つの芯材位置決めリング８によって形成された透明保護層９を有する装飾玉１を成形する。
【００２３】
なお、透明樹脂の射出条件は、装飾玉１の球径や樹脂の種類によって適宜設定されるが、射出充填時に射出された透明樹脂によって芯材位置決めリング８の接続界面がうまく溶融状態になる温度に設定されることが望ましい。
【００２４】
成形後、射出成形金型７から装飾玉１を取り出し、必要に応じてバレル研磨等によってパーティングラインを研磨する。
【００２５】
上記装飾玉１は、以上のように、芯材本体３とちりめん織布５からなる芯材２の表面を覆うように射出成形によって透明保護層９を設けるようにしたので、容易に製造できるとともに、化粧シートであるちりめん織布５が透明保護層９越しに浮き出たように視認でき、非常に見栄えのよいものとなる。
しかも、化粧シートとしてちりめん織布５を用いるようにしたので、芯材本体３の表面に接着固定する際に、ちりめんしわを伸ばすようにしながら接着することができ、芯材本体３の球面に沿ってしわのない状態でうまく覆うようにすることができ、より見栄えのよいものとすることができる。また、透明保護層９を形成する透明樹脂がちりめん織布５の織り目に入り込むため、芯材２と透明保護層９とがより強固に一体化される。
【００２６】
本発明は、上記の実施の形態に限定されない。たとえば、上記の実施の形態では、２つの芯材位置決め部材が同じ形状同じ厚みであったが、芯材を所定位置に支持できれば、異なっていても構わない。
上記実施の形態では、芯材本体が合成樹脂製であったが、透明保護層の成形に悪影響を与えなければ、木製や金属製等など材質は特に限定されない。
【図面の簡単な説明】
【００２７】
【図１】本発明にかかる装飾玉の１つの実施の形態をあらわす斜視図である。
【図２】図１の装飾玉の断面図である。
【図３】図１の装飾玉に用いる芯材の製造方法を工程順に説明する説明図である。
【図４】図１の装飾玉の射出成形金型の閉合状態をあらわす断面図である。
【符号の説明】
【００２８】
１  装飾玉
２  芯材
３  芯材本体
５  ちりめん織布（化粧シート）
９  透明保護層
【図１】
2007202629.tif 000003
【図２】
2007202629.tif 000004
【図３】
2007202629.tif 000005
【図４】
2007202629.tif 000006